(57)【要約】【課題】    本発明の目的は、フェノール樹脂発泡体を主材とする断熱ボードを利用した耐火、耐熱に対応した耐熱性パネル及び耐熱性パネルの製造方法を提供するものである。【解決手段】    耐熱性パネルＰは、枠体１内に断熱体２を有する耐熱性パネルＰであって、枠体１の内側に位置するのは、内装面材１１であり、枠体１の外側に位置するのは、外装面材１２であり、断熱体２は、内装面材１１から外装面材１２に向かって、フェノール樹脂発泡体を主材とする断熱ボードの断熱層２１、ポリイソシアヌレートフォームからなる断熱層２２を有するものである。【選択図】図１
2018075715.tif 000002
【特許請求の範囲】
【請求項１】
枠体内に断熱体を有する耐熱性パネルであって、
前記枠体の内側に位置するのは、内装面材であり、
前記枠体の外側に位置するのは、外装面材であり、
前記断熱体は、前記内装面材から前記外装面材に向かって、フェノール樹脂発泡体を主材とする断熱ボードの断熱層、ポリイソシアヌレートフォームからなる断熱層を有する
ことを特徴とする耐熱性パネル。
【請求項２】
枠体内に発泡液を注入して耐熱性パネルを製造する耐熱性パネルの製造方法であって、
前記枠体は、内側に接着剤を介してフェノール樹脂発泡体を主材とする断熱ボードの断熱層を付着させた内装面材、外側に外装面材、対向する前記内装面材と前記外装面材の側面周囲を覆う覆い部材を有し、
前記枠体内の前記断熱ボードの断熱層と前記枠体内の前記外装面材の間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの断熱層と前記枠体内の前記外装面材に接着する
ことを特徴とする耐熱性パネルの製造方法。
【請求項３】
枠体内に断熱体を有する耐熱性パネルであって、
前記枠体の内側に位置するのは、内装面材であり、
前記枠体の外側に位置するのは、外装面材であり、
前記断熱体は、前記内装面材から前記外装面材に向かって、フェノール樹脂発泡体を主材とする断熱ボードの断熱層、ポリイソシアヌレートフォームからなる断熱層を有し、
前記内装面材と前記フェノール樹脂発泡体を主材とする断熱ボードの断熱層とは接着剤を介して接着し、
前記ポリイソシアヌレートフォームの自己接着力により、前記ポリイソシアヌレートフォームの断熱層を前記枠体内の前記断熱ボードの断熱層と前記外装面材に接着させている
ことを特徴とする耐熱性パネル。
【請求項４】
枠体内に断熱体を有する耐熱性パネルであって、
前記枠体の内側に位置するのは、内装面材であり、
前記枠体の外側に位置するのは、外装面材であり、
前記断熱体は、前記内装面材から前記外記装面材に向かって、フェノール樹脂発泡体を主材とする断熱ボードの第１の断熱層、ポリイソシアヌレートフォームからなる断熱層、フェノール樹脂発泡体を主材とする断熱ボードの第２の断熱層を有する
ことを特徴とする耐熱性パネル。
【請求項５】
枠体内に発泡液を注入して耐熱性パネルを製造する耐熱性パネルの製造方法であって、
前記枠体は、内側に接着剤を介してフェノール樹脂発泡体を主材とする断熱ボードの第１の断熱層を付着させた内装面材、外側に接着剤を介してフェノール樹脂発泡体を主材とする断熱ボードの第２の断熱層を付着させた外装面材、対向する前記内装面材と前記内装面材の側面周囲を覆う覆い部材を有し、
前記枠体内の前記断熱ボードの第１の断熱層と前記枠体内の前記断熱ボードの第２の断熱層との間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの第１の断熱層と前記枠体内の前記断熱ボードの第２の断熱層に接着する
ことを特徴とする耐熱性パネルの製造方法。
【発明の詳細な説明】
【技術分野】
【０００１】
本発明は、耐熱性パネル及び耐熱性パネルの製造方法に係り、特に、フェノール樹脂発泡体を主材とする断熱ボードを利用した耐火、耐熱に対応した耐熱性パネル及び耐熱性パネルの製造方法に関する。
【背景技術】
【０００２】
従来、扉、壁等に使用される断熱パネルとして、ウレタンフォームからなる断熱層を内在したものがある。
この断熱パネルは、例えば、８０℃以上になると、ウレタンフォームからなる断熱層が炭化するため、８０℃以上においては使用できない。
一方、８０℃以上においても耐熱性に優れているものとして、既製品として、フェノール樹脂発泡体を主材とする断熱ボード（例えば、商品名  ネオマフォーム）がある。
【発明の概要】
【発明が解決しようとする課題】
【０００３】
ところが、既製品のフェノール樹脂発泡体を主材とする断熱ボード（商品名  ネオマフォーム）をそのまま、つまり、外装面材と内装面材との間に、既製品のフェノール樹脂発泡体を主材とする断熱ボードをサンドイッチ状にそのまま挟む構成だけでは、断熱パネルの用途の関係上、例えば、既製品のフェノール樹脂発泡体を主材とする断熱ボードの厚みが薄かったり、厚かったりして、要求される耐熱温度、コスト等の条件を満たすことができないという問題点が生じた。
【０００４】
本発明は、上記実情を考慮してなされたもので、フェノール樹脂発泡体を主材とする断熱ボードを利用した耐熱性パネル及び耐熱性パネルの製造方法を提供することを目的とする。
【課題を解決するための手段】
【０００５】
請求項１記載の耐熱性パネルは、枠体内に断熱体を有する耐熱性パネルであって、前記枠体の内側に位置するのは、内装面材であり、前記枠体の外側に位置するのは、外装面材であり、前記断熱体は、前記内装面材から前記外装面材に向かって、フェノール樹脂発泡体を主材とする断熱ボードの断熱層、ポリイソシアヌレートフォームからなる断熱層を有するものである。
【０００６】
また、請求項２記載の耐熱性パネルの製造方法は、枠体内に発泡液を注入して耐熱性パネルを製造する耐熱性パネルの製造方法であって、前記枠体は、内側に接着剤を介してフェノール樹脂発泡体を主材とする断熱ボードの断熱層を付着させた内装面材、外側に外装面材、対向する前記内装面材と前記外装面材の側面周囲を覆う覆い部材を有し、前記枠体内の前記断熱ボードの断熱層と前記枠体内の前記外装面材の間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの断熱層と前記枠体内の前記外装面材に接着するものである。
【０００７】
また、請求項３記載の耐熱性パネルは、枠体内に断熱体を有する耐熱性パネルであって、前記枠体の内側に位置するのは、内装面材であり、前記枠体の外側に位置するのは、外装面材であり、前記断熱体は、前記内装面材から前記外装面材に向かって、フェノール樹脂発泡体を主材とする断熱ボードの断熱層、ポリイソシアヌレートフォームからなる断熱層を有し、前記内装面材と前記フェノール樹脂発泡体を主材とする断熱ボードの断熱層とは接着剤を介して接着し、前記ポリイソシアヌレートフォームの自己接着力により、前記ポリイソシアヌレートフォームの断熱層を前記枠体内の前記断熱ボードの断熱層と前記外装面材に接着させているものである。
【０００８】
また、請求項４記載の耐熱性パネルは、枠体内に断熱体を有する耐熱性パネルであって、前記枠体の内側に位置するのは、内装面材であり、前記枠体の外側に位置するのは、外装面材であり、前記断熱体は、前記内装面材から前記外記装面材に向かって、フェノール樹脂発泡体を主材とする断熱ボードの第１の断熱層、ポリイソシアヌレートフォームからなる断熱層、フェノール樹脂発泡体を主材とする断熱ボードの第２の断熱層を有するものである。
【０００９】
また、請求項５記載の耐熱性パネルの製造方法は、枠体内に発泡液を注入して耐熱性パネルを製造する耐熱性パネルの製造方法であって、前記枠体は、内側に接着剤を介してフェノール樹脂発泡体を主材とする断熱ボードの第１の断熱層を付着させた内装面材、外側に接着剤を介してフェノール樹脂発泡体を主材とする断熱ボードの第２の断熱層を付着させた外装面材、対向する前記内装面材と前記内装面材の側面周囲を覆う覆い部材を有し、前記枠体内の前記断熱ボードの第１の断熱層と前記枠体内の前記断熱ボードの第２の断熱層との間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの第１の断熱層と前記枠体内の前記断熱ボードの第２の断熱層に接着するするものである。
【発明の効果】
【００１０】
請求項１記載の耐熱性パネルによれば、内装面材と外装面材の間に位置する断熱体は、内装面材から外装面材に向かって、フェノール樹脂発泡体を主材とする断熱ボードの断熱層、ポリイソシアヌレートフォームからなる断熱層を有しているため、火、熱および化学的に安定したフェノール樹脂発泡体を主材とする断熱ボードを断熱層として利用し、しかも、ポリイソシアヌレートフォームからなる断熱層は、耐熱性のあるフェノール樹脂発泡体を主材とする断熱ボードの断熱層を介在しているため、内装面材側で要求される耐火、耐熱に対応した耐熱性パネルを得ることができる。
【００１１】
また、請求項２記載の耐熱性パネルの製造方法によれば、枠体内の断熱ボードの断熱層と前記枠体内の外装面材の間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの断熱層と前記枠体内の前記外装面材に接着するため、フェノール樹脂発泡体を主材とする断熱ボードを利用して、内装面材側で要求される耐火及び耐熱性のある耐熱性パネルを容易に製造することができる。
【００１２】
また、請求項３記載の耐熱性パネルによれば、内装面材と外装面材の間に位置する断熱体は、内装面材から外装面材に向かって、フェノール樹脂発泡体を主材とする断熱ボードの断熱層、ポリイソシアヌレートフォームからなる断熱層を有しているため、火、熱および化学的に安定したフェノール樹脂発泡体を主材とする断熱ボードを利用し、しかも、内装面材の裏面に接着剤を介してフェノール樹脂発泡体を主材とする断熱ボードの断熱層を付着させ、前記ポリイソシアヌレートフォームの自己接着力により、前記ポリイソシアヌレートフォームの断熱層を前記枠体内の前記断熱ボードの断熱層と前記外装面材に接着させることができ、更に、ポリイソシアヌレートフォームからなる断熱層は、耐熱性のあるフェノール樹脂発泡体を主材とする断熱ボードの断熱層を介在しているため、内装面材側で要求される耐火、耐熱に対応した耐熱性パネルを得ることができる。
【００１３】
また、請求項４記載の耐熱性パネルによれば、内装面材と外装面材の間に位置する断熱体は、内装面材から外装面材に向かって、フェノール樹脂発泡体を主材とする断熱ボードの第１の断熱層、ポリイソシアヌレートフォームからなる断熱層、フェノール樹脂発泡体を主材とする断熱ボードの第２の断熱層を有しているため、火、熱および化学的に安定したフェノール樹脂発泡体を主材とする断熱ボードを第１、第２の断熱層として利用し、しかも、ポリイソシアヌレートフォームからなる断熱層は、耐熱性のあるフェノール樹脂発泡体を主材とする断熱ボードの第１又は第２の断熱層を介在しているため、内装面材側及び外装面材側で要求される耐火、耐熱に対応した耐熱性パネルを得ることができる。
【００１４】
また、請求項５記載の耐熱性パネルの製造方法によれば、枠体内の断熱ボードの第１の断熱層と前記枠体内の断熱ボードの第２の断熱層との間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの第１の断熱層と前記枠体内の前記断熱ボードの第２の断熱層に接着するため、フェノール樹脂発泡体を主材とする第１、第２の断熱ボードを利用して、内装面材側及び外装面材側で要求される耐火及び耐熱性のある耐熱性パネルを容易に製造することができる。
【図面の簡単な説明】
【００１５】
【図１】図１は、本発明の一実施例の耐熱性パネルの概略的斜視図である。
【図２】図２は、図１の概略的横断面図である。
【図３】図３は、図３の概略的縦断面図である。
【図４】図４は、図１の耐熱性パネルを製造過程の枠体の概略的横断面図である。
【図５】図５は、図１の耐熱性パネルを製造過程の枠体の概略的縦断面図である。
【図６】図６は、図２と異なる他の実施例の概略的横断面図である。
【図７】図７は、図３と異なる他の実施例の概略的縦断面図である。
【図８】図８は、図６の耐熱性パネルを製造過程の枠体の概略的横断面図である。
【図９】図９は、図７の耐熱性パネルを製造過程の枠体の概略的縦断面図である。
【発明を実施するための形態】
【００１６】
本発明の一実施例の耐熱性パネル及び耐熱性パネルの製造方法を図１乃至図５を参照して説明する。
図１において、Ｐは耐熱性パネルで、耐熱性パネルＰは、枠体１内に断熱体２を有する。耐熱性パネルＰは、例えば、−４０℃〜＋１５０℃において使用される恒温室、乾燥室等の壁、扉等に使用されるものである。
【００１７】
枠体１は、内側に位置する内装面材（例えば、鋼板）１１、外側に位置する外装面材（例えば、鋼板）１２、対向する内装面材１１と外装面材１２の側面周囲を覆う覆い部材１３を有している。
【００１８】
断熱体２は、内装面材１１から外装面材１２に向かって、フェノール樹脂発泡体を主材とする断熱ボードの断熱層２１、ポリイソシアヌレートフォームからなる断熱層２２を有する。
フェノール樹脂発泡体を主材とする断熱ボードの断熱層２１は、例えば、厚み２５mm〜９０mm、横９００mm、縦１８００mmで、旭化成ホームズ株式会社製  商品名ネオマフォーム（登録商標）である。
なお、断熱層２１のフェノール樹脂発泡体等の成形体や発泡体については、例えば、国際出願（特願２０００−５５８１５８）に開示されている。
また、ポリイソシアヌレートフォームからなる断熱層２２は、例えば、厚み２５mm〜１２５mmで、不燃認定できる素材であるが、フェノール樹脂発泡体を主材とする断熱ボードの断熱層２１に比べ耐熱性がないものである。
【００１９】
従って、上述した耐熱性パネルＰによれば、内装面材１１と外装面材１２の間に位置する断熱体２は、内装面材１１から外装面材１２に向かって、フェノール樹脂発泡体を主材とする断熱ボードの断熱層２１、ポリイソシアヌレートフォームからなる断熱層２２を有しているため、火、熱および化学的に安定したフェノール樹脂発泡体を主材とする断熱ボードを断熱層２１として利用し、しかも、ポリイソシアヌレートフォームからなる断熱層２２は、耐熱性のあるフェノール樹脂発泡体を主材とする断熱ボードの断熱層２１を介在しているため、内装面材１１側で要求される耐火、耐熱に対応した耐熱性パネルＰを得ることができる。
【００２０】
なお、内装面材１１とフェノール樹脂発泡体を主材とする断熱ボードの断熱層２１とは接着剤（例えば、弾性接着剤、より詳しくは、２液型シリコーン変成ポリマー系弾性接着剤）を介して接着し（図４及び図５参照）、断熱層２２のポリイソシアヌレートフォームは、ポリオール成分とイソシアネート成分と反応させる公知の様式で製造し、ポリイソシアヌレートフォームの自己接着力により、ポリイソシアヌレートフォームの断熱層２２を枠体１内の断熱ボードの断熱層２１と外装面材１２に接着させている（図２及び図３参照）。
【００２１】
なお、上述した耐熱性パネルＰは、枠体１内に発泡液（図示せず）を注入して製造することができる。
即ち、耐熱性パネルの製造方法にあっては、先ず、図４及び図５に示すように、内側に接着剤（例えば、弾性接着剤、より詳しくは、２液型シリコーン変成ポリマー系弾性接着剤）を介してフェノール樹脂発泡体を主材とする断熱ボードの断熱層２１を付着させた内装面材１１、外側に外装面材１２、対向する内装面材１１と外装面材１２の側面周囲を覆い部材１３により覆うようにして枠体１を形成する（図４及び図５参照）。
覆い部材１３は、例えば、ポリ塩化ビニル（ＰＶＣ）で形成された左フレーム１３１、右フレーム１３２、上フレーム１３３、下フレーム１３４で構成する。
【００２２】
そして、枠体１内の断熱ボードの断熱層２１と枠体１内の外装面材１２の間（図４及び図５に示す空所Ｘ）にポリイソシアヌレートフォームからなる断熱層２２の原料となる発泡液を注入して発泡させ、ポリイソシアヌレートフォームの自己接着力により、ポリイソシアヌレートフォームの断熱層２２を枠体１内の断熱ボードの断熱層２１と枠体１内の外装面材１２に接着する（図２及び図３参照）。
なお、発泡液を注入して発泡させる際、内装面材１１と外装面材１２は、図示しないプレス等で支持されている。
【００２３】
その結果、上述した耐熱性パネルの製造方法によれば、枠体１内の断熱ボードの断熱層２１と枠体１内の外装面材１２の間（図４及び図５に示す空所Ｘ）にポリイソシアヌレートフォームからなる断熱層２２の原料となる発泡液を発泡させ、前記ポリイソシアヌレートフォームの自己接着力により、ポリイソシアヌレートフォームの断熱層２２を枠体１内の断熱ボードの断熱層２１と枠体１内の外装面材１２に接着する（図２及び図３参照）ため、フェノール樹脂発泡体を主材とする断熱ボード２１を利用して、内装面材１１側で要求される耐火及び耐熱性のある耐熱性パネルＰを容易に製造することができる。
【００２４】
上述した図１乃至図５記載の実施例は、内装面材１１側で要求される耐火及び耐熱性のある耐熱性パネルＰについて述べたが、本願発明は、これに限らず、内装面材１１側及び外装面材１２で要求される耐火及び耐熱性のある耐熱性パネルＰにも適用できる。
即ち、図６及び図７において、Ｐは耐熱性パネルで、耐熱性パネルＰは、枠体１内に断熱体２を有する。
【００２５】
枠体１は、内側に位置する内装面材（例えば、鋼板）１１、外側に位置する外装面材（例えば、鋼板）１２、対向する内装面材１１と外装面材１２の側面周囲を覆う覆い部材１３を有している。
【００２６】
断熱体２は、内装面材１１から外装面材１２に向かって、フェノール樹脂発泡体を主材とする断熱ボードの第１の断熱層２１、ポリイソシアヌレートフォームからなる断熱層２２、フェノール樹脂発泡体を主材とする断熱ボードの第２の断熱層２３を有する。
フェノール樹脂発泡体を主材とする断熱ボードの第１、第２の断熱層２１、２３は、例えば、旭化成ホームズ株式会社製  商品名  なお、ネオマフォーム（登録商標）である。
第１、第２の断熱層２１、２３のフェノール樹脂発泡体等の成形体や発泡体については、例えば、国際出願（特願２０００−５５８１５８）に開示されている。
また、ポリイソシアヌレートフォームからなる断熱層２２は、不燃認定できる素材であるが、フェノール樹脂発泡体を主材とする断熱ボードの第１、第２の断熱層２１、２３に比べ耐熱性がないものである。
【００２７】
従って、上述した耐熱性パネルＰによれば、内装面材１１と外装面材１２の間に位置する断熱体２は、内装面材１１から外装面材１２に向かって、フェノール樹脂発泡体を主材とする断熱ボードの第１の断熱層２１、ポリイソシアヌレートフォームからなる断熱層２２、フェノール樹脂発泡体を主材とする断熱ボードの第２の断熱層２３を有しているため、火、熱および化学的に安定したフェノール樹脂発泡体を主材とする断熱ボードを第１、第２の断熱層２１、２３として利用し、しかも、ポリイソシアヌレートフォームからなる断熱層２２は、耐熱性のあるフェノール樹脂発泡体を主材とする第１又は第２の断熱層２１、２３を介在しているため、内装面材１１側及び外装面材１２側で要求される耐火、耐熱に対応した耐熱性パネＰルを得ることができる。
【００２８】
なお、内装面材１１とフェノール樹脂発泡体を主材とする断熱ボードの第１の断熱層２１とは接着剤（例えば、弾性接着剤、より詳しくは、２液型シリコーン変成ポリマー系弾性接着剤）を介して接着し（図８及び図９参照）、外装面材１２とフェノール樹脂発泡体を主材とする断熱ボードの第２の断熱層２３とは接着剤（例えば、弾性接着剤、より詳しくは、２液型シリコーン変成ポリマー系弾性接着剤）を介して接着し（図８及び図９参照）、断熱層２２のポリイソシアヌレートフォームは、ポリオール成分とイソシアネート成分と反応させる公知の様式で製造し、ポリイソシアヌレートフォームの自己接着力により、ポリイソシアヌレートフォームの断熱層２２を枠体１内の断熱ボードの第１の断熱層２１と枠体１内の断熱ボードの第２の断熱層２３に接着させている（図６及び図７参照）。
【００２９】
なお、上述した図６及び図７記載の耐熱性パネルＰは、枠体１内に発泡液（図示せず）を注入して製造することができる。
即ち、耐熱性パネルの製造方法にあっては、先ず、図８及び図９に示すように、接着剤（例えば、弾性接着剤、より詳しくは、２液型シリコーン変成ポリマー系弾性接着剤）を介してフェノール樹脂発泡体を主材とする断熱ボードの第１の断熱層２１を付着させた内装面材１１、接着剤（例えば、弾性接着剤、より詳しくは、２液型シリコーン変成ポリマー系弾性接着剤）を介してフェノール樹脂発泡体を主材とする断熱ボードの第２の断熱層２３を付着させた外装面材１２、対向する内装面材１１と外装面材１２の側面周囲を覆い部材１３により覆うようにして枠体１を形成する。
覆い部材１３は、例えば、ポリ塩化ビニル（ＰＶＣ）で形成された左フレーム１３１、右フレーム１３２、上フレーム１３３、下フレーム１３４で構成する。
【００３０】
そして、枠体１内の断熱ボードの第１の断熱層２１と枠体１内の断熱ボードの第２の断熱層２３の間（図８及び図９に示す空所Ｙ）にポリイソシアヌレートフォームからなる断熱層２２の原料となる発泡液を注入して発泡させ、ポリイソシアヌレートフォームの自己接着力により、ポリイソシアヌレートフォームの断熱層２２を枠体１内の断熱ボードの第１の断熱層２１と枠体１内の断熱ボードの第２の断熱層２３に接着する（図６及び図７参照）。
なお、発泡液を注入して発泡させる際、内装面材１１と外装面材１２は、図示しないプレス等で支持されている。
【００３１】
その結果、上述した耐熱性パネルの製造方法によれば、枠体１内の断熱ボードの第１の断熱層２１と枠体１内の断熱ボードの第２の断熱層２３の間（図８及び図９に示す空所Ｙ）にポリイソシアヌレートフォームからなる断熱層２２の原料となる発泡液を発泡させ、前記ポリイソシアヌレートフォームの自己接着力により、ポリイソシアヌレートフォームの断熱層２２を枠体１内の断熱ボードの第１の断熱層２１と枠体１内の断熱ボードの第２の断熱層２３に接着する（図６及び図７参照）ため、フェノール樹脂発泡体を主材とする第１、第２の断熱ボード２１、２３を利用して、内装面材１１側及び外装面材１２で要求される耐火及び耐熱性のある耐熱性パネルＰを容易に製造することができる。
【符号の説明】
【００３２】
Ｐ      耐熱性パネル
１      枠体
１１    内装面材
１２    外装面材
２      断熱体
２１    フェノール樹脂発泡体を主材とする断熱ボードの断熱層
２２    ポリイソシアヌレートフォームからなる断熱層
【図１】
2018075715.tif 000003
【図２】
2018075715.tif 000004
【図３】
2018075715.tif 000005
【図４】
2018075715.tif 000006
【図５】
2018075715.tif 000007
【図６】
2018075715.tif 000008
【図７】
2018075715.tif 000009
【図８】
2018075715.tif 000010
【図９】
2018075715.tif 000011
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
枠体内に発泡液を注入して耐熱性パネルを製造する耐熱性パネルの製造方法であって、
前記枠体は、内側に接着剤を介してフェノール樹脂発泡体を主材とする断熱ボードの断熱層を付着させた内装面材、外側に外装面材、対向する前記内装面材と前記外装面材の側面周囲を覆う覆い部材を有し、
前記枠体内の前記断熱ボードの断熱層と前記枠体内の前記外装面材の間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの断熱層と前記枠体内の前記外装面材に接着するものであり、
前記耐熱性パネルは、前記覆い部材を有している
ことを特徴とする耐熱性パネルの製造方法。
【請求項２】
枠体内に発泡液を注入して耐熱性パネルを製造する耐熱性パネルの製造方法であって、
前記枠体は、内側に接着剤を介してフェノール樹脂発泡体を主材とする断熱ボードの第１の断熱層を付着させた内装面材、外側に接着剤を介してフェノール樹脂発泡体を主材とする断熱ボードの第２の断熱層を付着させた外装面材、対向する前記内装面材と前記内装面材の側面周囲を覆う覆い部材を有し、
前記枠体内の前記断熱ボードの第１の断熱層と前記枠体内の前記断熱ボードの第２の断熱層との間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの第１の断熱層と前記枠体内の前記断熱ボードの第２の断熱層に接着するものであり、
前記耐熱性パネルは、前記覆い部材を有している
ことを特徴とする耐熱性パネルの製造方法。
【手続補正３】
【補正対象書類名】明細書
【補正対象項目名】０００１
【補正方法】変更
【補正の内容】
【０００１】
本発明は、耐熱性パネルの製造方法に係り、特に、フェノール樹脂発泡体を主材とする断熱ボードを利用した耐火、耐熱に対応した耐熱性パネルの製造方法に関する。
【手続補正４】
【補正対象書類名】明細書
【補正対象項目名】０００４
【補正方法】変更
【補正の内容】
【０００４】
本発明は、上記実情を考慮してなされたもので、フェノール樹脂発泡体を主材とする断熱ボードを利用した耐熱性パネルの製造方法を提供することを目的とする。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
請求項１記載の耐熱性パネルの製造方法は、枠体内に発泡液を注入して耐熱性パネルを製造する耐熱性パネルの製造方法であって、前記枠体は、内側に接着剤を介してフェノール樹脂発泡体を主材とする断熱ボードの断熱層を付着させた内装面材、外側に外装面材、対向する前記内装面材と前記外装面材の側面周囲を覆う覆い部材を有し、前記枠体内の前記断熱ボードの断熱層と前記枠体内の前記外装面材の間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの断熱層と前記枠体内の前記外装面材に接着するものであり、前記耐熱性パネルは、前記覆い部材を有しているものである。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
また、請求項２記載の耐熱性パネルの製造方法は、枠体内に発泡液を注入して耐熱性パネルを製造する耐熱性パネルの製造方法であって、前記枠体は、内側に接着剤を介してフェノール樹脂発泡体を主材とする断熱ボードの第１の断熱層を付着させた内装面材、外側に接着剤を介してフェノール樹脂発泡体を主材とする断熱ボードの第２の断熱層を付着させた外装面材、対向する前記内装面材と前記内装面材の側面周囲を覆う覆い部材を有し、前記枠体内の前記断熱ボードの第１の断熱層と前記枠体内の前記断熱ボードの第２の断熱層との間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの第１の断熱層と前記枠体内の前記断熱ボードの第２の断熱層に接着するものであり、前記耐熱性パネルは、前記覆い部材を有しているものである。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
請求項１記載の耐熱性パネルの製造方法によれば、枠体内の断熱ボードの断熱層と前記枠体内の外装面材の間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの断熱層と前記枠体内の前記外装面材に接着するため、フェノール樹脂発泡体を主材とする断熱ボードを利用して、内装面材側で要求される耐火及び耐熱性のある耐熱性パネルを容易に製造することができる。
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】変更
【補正の内容】
【００１４】
また、請求項２記載の耐熱性パネルの製造方法によれば、枠体内の断熱ボードの第１の断熱層と前記枠体内の断熱ボードの第２の断熱層との間にポリイソシアヌレートフォームからなる断熱層の原料となる発泡液を発泡させ、前記ポリイソシアヌレートフォームの自己接着力により、前記ポリイソシアヌレートフォームの断熱層を前記枠体内の前記断熱ボードの第１の断熱層と前記枠体内の前記断熱ボードの第２の断熱層に接着するため、フェノール樹脂発泡体を主材とする第１、第２の断熱ボードを利用して、内装面材側及び外装面材側で要求される耐火及び耐熱性のある耐熱性パネルを容易に製造することができる。
【手続補正１５】
【補正対象書類名】明細書
【補正対象項目名】００１６
【補正方法】変更
【補正の内容】
【００１６】
本発明の一実施例の耐熱性パネルの製造方法を図１乃至図５を参照して説明する。
図１において、Ｐは耐熱性パネルで、耐熱性パネルＰは、枠体１内に断熱体２を有する。耐熱性パネルＰは、例えば、−４０℃〜＋１５０℃において使用される恒温室、乾燥室等の壁、扉等に使用されるものである。